(57)【要約】【課題】  歩行者の通行阻止または所定場所への誘導を行った後に、該仕切りベルトを筒本体内へ安全に巻き込むベルトパーティション装置を提供する。【解決手段】  筒本体２内にベルトリール２０を回転可能に軸着し、該ベルトリールには仕切りベルト５を巻き込み方向に付勢する渦巻バネ７を取り付け、さらに下端面に凹みを設けたスライダ３０およびベルトリール２０とともに回転する円盤ダンパ２２を配置し、該スライダはベルトリール２０の回転とともに筒本体２内を上下移動しても非回転であり、且つ該円盤ダンパのロータ２６には上向きの立爪２４を形成する。  【選択図】図３
2019052502.tif 000002
【特許請求の範囲】
【請求項１】
筒本体内にベルトリールを回転可能に軸着し、該ベルトリールには仕切りベルトを巻き込み方向に付勢する渦巻バネを取り付けるベルトパーティション装置において、さらに下端面に凹みを設けたスライダおよびベルトリールとともに回転する円盤ダンパを配置し、該スライダはベルトリールの回転とともに筒本体内を上下移動しても非回転であり、且つ該円盤ダンパのロータには上向きの立爪を形成しており、仕切りベルトの巻き込み時の後半において、スライダが下方移動して該スライダの凹みがダンパロータの立爪と係合すると、停止するダンパロータを介して円盤ダンパがベルト巻き込み回動を制動するベルトパーティション装置。
【請求項２】
スライダ下端面の凹みは内側壁を有する半環状孔からなり、スライダが下方移動するとダンパロータの立爪がスライダの半環状孔の内側壁と当接することで制動回転を行う請求項１記載のベルトパーティション装置。
【請求項３】
円盤ダンパのロータに形成した上向きの立爪は、スライダによってベルトリールへ制動力を伝達する主爪と、該主爪に隣接して該主爪よりも高い副爪とからなり、仕切りベルトの引き出し時に上方移動するスライダの半環状孔がダンパロータの立爪から解放される際に、主爪が解放されても副爪が弾性変形しながら係合を短時間続け、ダンパロータの付随的な回転が主爪の解放後にも続くことにより、仕切りベルトの巻き込み時の後半において、スライダが下方移動すると、ダンパロータの立爪がスライダの半環状孔と確実に係合する請求項１または２記載のベルトパーティション装置。
【請求項４】
円盤ダンパには、上方へ突出する雄ネジ山付きの細円筒体を同軸状に固着し、円筒形のダンパロータを細円筒体と嵌合配置することにより、円盤ダンパは通常ダンパロータとともにベルトリールと同期回転し、細円筒体とねじ合わせたスライダが下降してダンパロータの回転が停止すると、該ダンパロータを介して円盤ダンパつまりベルトリールを制動回転する請求項１または２記載のベルトパーティション装置。
【請求項５】
スライダの中心孔に雌ネジ山を設け、ベルトリールと同期回転の細円筒体をスライダの中心孔にねじ込むことにより、ベルトリールの回転とともにスライダが筒本体内を上下移動する請求項１記載のベルトパーティション装置。
【請求項６】
スライダは筒本体の収納できるような円形平面を有し、スライダの外周面に外向き突起を設け、該突起が筒本体の縦溝と嵌合することにより、該スライダは筒本体内を上下移動する際に回転しない請求項１記載のベルトパーティション装置。
【発明の詳細な説明】
【技術分野】
【０００１】
本発明は、引き出した仕切りベルトによって歩行者の通行阻止または所定場所への誘導を行った後に、該仕切りベルトを筒本体内へ安全に巻き込むベルトパーティション装置に関する。
【背景技術】
【０００２】
ベルトパーティション装置は、歩行者の自由な通行を阻止したり所定場所へ誘導するために、複数本のポールスタンドを所定の間隔をおいて配置し、各スタンドポール上に固着した筒本体内から仕切りベルトを渦巻バネの力に抗して引き出し、そのベルト先端の係合部材を別のポールスタンドや壁面に取り付けた支持部材に係止させる構造である。既存のベルトパーティション装置は、例えば、特開平１１−１３０３１号、特開２００６−１１８３２１号または特開２０１０−２４８７９３号などに開示されている。
【０００３】
特開平１１−１３０３１号や特開２００６−１１８３２１号では、周知のように、ポールスタンドまたは壁面に固着した筒本体の縦長孔から仕切りベルトを渦巻バネの力に抗して引き出し、そのベルトは常に筒本体への巻き込み方向へ付勢されている。これらのベルトパーティション装置は、通路に張設された仕切りベルトが強風に煽られて大きく揺動したりまたは子供のいたずらなどにより、その係合部材が支持部材から脱離すると、引き出された仕切りベルトが筒本体内へ急激に巻き込まれ、ベルト先端の係合部材が無制御に跳ね飛び、歩行者の顔面などに当って怪我をするおそれがあった。
【０００４】
特開２０１０−２４８７９３号は、ベルトパーティション装置における仕切りベルトの急激な引き込みを回避するために、仕切りベルトの引き込みつまりベルトリールの回転を阻止するストッパを設置する。このストッパは、筒本体の側壁に付設した可動体について、その内側面よりベルトリールの外周面に向かって突設され、一方、ベルトリールの外周面には可動体の上下動によってストッパに着脱できる突起を形成し、該ストッパを前記の突起に係合することによってベルトリールの回転を阻止する。
【０００５】
特開２０１０−２４８７９３号において、可動体を操作してストッパを突起に係合するとベルトリールの回転が確実に停止するため、使用中の仕切りベルトが強風に煽られたり子供がいたずらをすることにより、ベルト先端の係合部材が支持部材から脱離しても、仕切りベルトは引き出した状態を常に維持している。したがって、ベルト先端の係合部材が支持部材から不意に脱離しても、係合部材の跳ね返りを生ずることがなので安全であり、ベルトの跳躍動によって歩行者が怪我をすることもない。
【先行技術文献】
【特許文献】
【０００６】
【特許文献１】特開平１１−１３０３１号公報
【特許文献２】特開２００６−１１８３２１号公報
【特許文献３】特開２０１０−２４８７９３号公報
【発明の概要】
【発明が解決しようとする課題】
【０００７】
特開２０１０−２４８７９３号に開示のベルトパーティション装置は、仕切りベルトを引き出す際に、各ポールスタンドの筒本体から仕切りベルトを引き出してから別のポールスタンドの支持部材に係止させ、さらに元の筒本体の位置まで戻り、可動体を押し下げてストッパを働かせる必要がある。また、仕切りベルトを引き込む際には、各仕切りベルトについて、１本のポールスタンドの支持部材からベルトリール先端の係合部材を脱離してから、そのベルトの筒本体の位置まで行って可動体を押し上げてストッパを解放させることを要し、この際に、ベルト先端の係合部材が無制御に跳ね飛ばないように、仕切りベルトが筒本体内へ急激に巻き込まれることを防がなければならない。
【０００８】
特開２０１０−２４８７９３号に開示のベルトパーティション装置は、前記から明らかなように、安全性の点では従来の装置よりも優れているけれども、従来の装置と比べてかなり余分な作業が必要になる。このベルトパーティション装置を用いると、設置するポールスタンド本数が数本の場合には殆ど問題にならなくても、大会場のように百本近いポールスタンドを設置する場合には、各ポールスタンドを配置して仕切りベルトを引き出し固定する作業と、各仕切りベルトを引き込む作業とが従来よりも煩雑になり、作業者の仕事量が相当に増大してしまう。
【０００９】
本発明は、従来のベルトパーティション装置に関する前記の問題点を改善するために提案されたものであり、仕切りベルトの引き出しは従来と同様であっても、該仕切りベルトを筒本体内へ引き込む際に引き込みの後半が制動されるベルトパーティション装置を提供することを目的としている。本発明の他の目的は、仕切りベルトの引き込みに際して、作業者が余分な作業をしなくても、ベルト引き込みの後半において制動されるベルトパーティション装置を提供することである。
【課題を解決するための手段】
【００１０】
本発明に係るベルトパーティション装置は、筒本体内にベルトリールを回転可能に軸着し、該ベルトリールには仕切りベルトを巻き込み方向に付勢する渦巻バネを取り付ける。このベルトパーティション装置では、下端面に凹みを設けたスライダおよびベルトリールとともに回転する円盤ダンパをさらに配置し、該スライダはベルトリールの回転とともに筒本体内を上下移動しても非回転であり、且つ該円盤ダンパのロータには上向きの立爪を形成しており、仕切りベルトの巻き込み時の後半において、スライダが下方移動して該スライダの凹みがダンパロータの立爪と係合すると、停止するダンパロータを介して円盤ダンパがベルト巻き込み回動を制動する。
【００１１】
本発明に係るベルトパーティション装置において、スライダ下端面の凹みは内側壁を有する半環状孔からなると好ましく、スライダが下方移動するとダンパロータの立爪がスライダの半環状孔の内側壁と当接することで制動回転を行う。
【００１２】
また、円盤ダンパのロータに形成した上向きの立爪は、スライダによってベルトリールへ制動力を伝達する主爪と、該主爪に隣接して該主爪よりも高い副爪とからなると好ましい。この円盤ダンパでは、仕切りベルトの引き出し時に上方移動するスライダの半環状孔がダンパロータの立爪から解放される際に、主爪が解放されても副爪が弾性変形しながら係合を短時間続け、ダンパロータの付随的な回転が主爪の解放後にも続くことにより、仕切りベルトの巻き込み時の後半において、スライダが下方移動すると、ダンパロータの立爪がスライダの半環状孔と確実に係合する。
【００１３】
本発明に係るベルトパーティション装置において、円盤ダンパには、上方へ突出する雄ネジ山付きの細円筒体を同軸状に固着し、円筒形のダンパロータを細円筒体と嵌合配置すると好ましく、これによって円盤ダンパは通常ダンパロータとともにベルトリールと同期回転し、細円筒体とねじ合わせたスライダが下降してダンパロータの回転が停止すると、該ダンパロータを介して円盤ダンパつまりベルトリールを制動回転する。また、スライダの中心孔に雌ネジ山を設け、ベルトリールと同期回転の細円筒体をスライダの中心孔にねじ込むことにより、ベルトリールの回転とともにスライダが筒本体内を上下移動する。好ましくは、スライダは筒本体を収納できるような円形平面を有し、スライダの外周面に外向き突起を設け、該突起が筒本体の縦溝と嵌合することにより、該スライダは筒本体内を上下移動する際に回転しない。
【発明の効果】
【００１４】
本発明に係るベルトパーティション装置は、仕切りベルトの引き出しは従来と同様であっても、該仕切りベルトを筒本体内へ引き込む際に引き込みの後半が制動されることにより、ベルト引き込みの後半をゆっくりと静かに行うことができる。このため、本発明のベルトパーティション装置は、仕切りベルトの引き込み作業を安全に行え、使用中の仕切りベルトが強風に煽られたり子供のいたずらによってベルト先端の掛け止め部材が掛け受け部材から不意に脱離しても、ベルト引き込み運動の後半で確実に制動されるので、掛け止め部材の跳ね返りを生ずることがなく、歩行者などが怪我をする怖れもない。
【００１５】
本発明のベルトパーティション装置は、従来と同様に仕切りベルトの引き出しおよび引き込み作業を行うだけでよく、特別な作業を何ら必要としない。本発明のベルトパーティション装置では、ベルトの引き出しおよび引き込み作業に加えて、作業者がストッパなどの着脱のために可動体を上下動させる必要がなく、ベルト引き込み運動はその後半において自動的に制動されるので便利である。
【図面の簡単な説明】
【００１６】
【図１】本発明に係るベルトパーティション装置を取り付けたポールスタンドの使用態様の一例を示す概略斜視図である。
【図２】本発明に係るベルトパーティション装置を示す拡大断面図である。
【図３】本発明に係るベルトパーティション装置の主要部品を示す展開斜視図である。
【図４】本発明で用いるダンパロータを円盤ダンパから取り外して示す斜視図である。
【図５】本発明で用いるスライダを筒本体から取り外して示す斜視図である。
【図６】スライダの半環状孔と円盤ダンパのロータ立爪との係合状態を示す拡大側面図である。
【発明を実施するための形態】
【００１７】
本発明に係るベルトパーティション装置１は、図１のように、筒本体２をポールスタンド３の上部に固着したり、この筒本体を適宜に変形して壁面に取り付ける構造である。例えば、図１に示すように、２本のポールスタンド３，３を所定の間隔をおいて配置し、一方のスタンドポール３上に固着した筒本体２内から仕切りベルト５を渦巻バネ７（図２、図３）の力に抗して引き出し、該ベルト先端の掛止め部材８を別のポールスタンド３に取り付けた掛受け部材１０に係止させる。ポールスタンド３の数を増やしていくと、所定場所への誘導が可能である。
【００１８】
ベルトパーティション装置１は、図２と図３に示すように、同径のキャップ１２および下方パイプ部１４とからなる筒本体２の下方に円形基台１６を備え、筒本体２および円形基台１６はポールスタンド３の形状に応じて適宜変更する。キャップ１２、下方パイプ部１４および円形基台１６は、装置中心を貫通する長ネジ１８によって一体的に固定する。さらに、ベルトパーティション装置１は、円形基台１６上の渦巻バネ７、仕切りベルト５を巻き付けるベルトリール２０、円盤ダンパ２２、立爪２４を有するダンパロータ２６（図４）、雄ネジ山付きの細円筒体２８、スライダ３０を備え、これらはいずれも筒本体２内に収納されている。
【００１９】
ベルトリール２０は、リール本体３２および該本体よりも大径の円筒下部３４とからなり、該リール本体は長ネジ１８が通過できるように筒状であり、円筒下部３４に渦巻バネ７を収納する。また、円形基台１６は、長ネジ１８が通過する円筒突起３６を有する。渦巻バネ７は、その外端をベルトリール２０の円筒下部３４の内周壁に固着し、その内端を円筒突起３６の外周壁に固着することにより、仕切りベルト５を渦巻バネ７の弾力に逆らって引き出すことができ、引き出したベルト５は渦巻バネ７の弾力によって自動的に巻き込むことができる。
【００２０】
ベルトパーティション装置１では、仕切りベルト５を筒本体２の下方パイプ部１４に設けた縦長孔３７から引き出す。仕切りベルト５の先端には掛止め部材８を取り付け、該掛止め部材は、図１のように別のポールスタンドの筒本体側壁に設置するかまたは壁面に固着した掛受け部材１０と係合させる。
【００２１】
円盤ダンパ２２は、中心貫通孔３８（図２）を設けた内部突起４０を備える中空円筒体４１からなり、ベルトリール２０の上方に位置し、該ベルトリールと一体的に回転する。円盤ダンパ２２には、円筒形のダンパロータ２６を上方から回動自在に収納し、ついで細円筒体２８の下方円径部４２を収納し、さらに環状キャップ４４を嵌めてダンパ上端壁にボルトなどで固定する。細円筒体２８の下方円径部４２は、ダンパ２２の内部突起４０の上面にボルトなどで固定することより、円盤ダンパ２２に細円筒体２８を同軸状に固着する。この結果、ベルトリール２０の回転は、円盤ダンパ２２を経て細円筒体２８に伝達され、この３部材は一体的に回転する。
【００２２】
円筒形のダンパロータ２６内には、組み立て時に、ダンパ２２の内部突起４０および細円筒体２８の下方円径部４２が回転自在に位置し、内部突起４０の中心貫通孔３８および細円筒体２８内を長ネジ１８が通過する。ダンパロータ２６は、図４に示すように外周壁４６が段階状であり、円盤ダンパ２２の内周壁４８との間隙を有し、その間隙にグリースを充填するとともに環状キャップ４４で密閉することにより、ロータ２６は中空円筒体４１に対して制動回転する。所望に応じて、ロータ外周壁４６を非円形断面にしたり、ベーンを取り付けてもよい。
【００２３】
細円筒体２８は、その下方円径部４２を円盤ダンパ２２の内部突起４０に固定することにより、ベルトリール２０から上方へ向かって垂直に延びる。細円筒体２８の外周壁５０には雄ネジ山を形成し、該細円筒体をスライダ３０の中心ネジ孔５２にねじ合わせすることにより、細円筒体２８が回転するとスライダ３０は上下動する。
【００２４】
スライダ３０は、図５に示すように、その外周面に外向き突起５４を１個または２個以上形成し、該突起が筒本体２のキャップ１２に設けた縦溝５６（図３）に嵌合することにより、ベルトリール２０つまり細円筒体２８の回転とともに、スライダ３０が筒本体２内を上下移動しても非回転である。突起５４，５４を設けるほかに、スライダの外形を多角形などの非円形にしてもよい。また、スライダ３０には、ダンパロータ２６の立爪２４が嵌入可能な凹みを形成し、この凹みは立爪２４が嵌入できる任意の形状であればよく、例えば、図５に示す円形配置の半環状孔５８，５８を形成する。円形に近い環状孔であると立爪２４が当接する内側壁６０，６２（図６）を有し、半環状孔５８，５８では図５のようにそれぞれが内側壁６０，６２を有し、より多数の環状貫通孔または環状溝を形成することも可能である。
【００２５】
図６を参照すると、仕切りベルト５の引き出し時には、円盤ダンパ２２が矢印Ａ方向に回転し、スライダ３０が上方移動すると、ダンパロータ２６の立爪２４が半環状孔５８の内側壁６０から解放され、ベルトリール２０は通常回転する。一方、仕切りベルト５の巻き込み時の後半において、円盤ダンパ２２が矢印Ｂ方向に回転し、スライダ３０が下方移動すると、半環状孔５８の内側壁６２と当接することによって、円盤ダンパ２２を介してベルト巻き込み作動を制動する。
【００２６】
ダンパロータ２６に形成した上向きの立爪２４は、図１と図４では円周方向に１対設けているが、該立爪は１個または３個以上設けることも可能である。立爪２４は、図６から明らかなように、スライダ３０によってベルトリール２０へ制動力を伝達する主爪６４と、該主爪に隣接して該主爪よりも高くて細い副爪６６とからなると好ましい。また、主爪６４と副爪６６の代わりに、立爪２４の両側壁を斜めに形成し、その両側壁と対応する半環状孔５８の内側壁も斜めに形成することも可能である。立爪２４を主爪６４と副爪６６で構成する理由は、ベルト巻き込み時に、スライダ３０の下面６８とロータ立爪２４の先端面とが干渉することを回避するためである。
【００２７】
主爪６４と副爪６６に関して、図６の実線から明らかなように、ベルトリール２０の引き出し時の回転でスライダ３０が上方移動すると、該スライダの半環状孔５８がダンパロータ２６の立爪２４から解放される際に、主爪６４が解放されても副爪６６が６６Ａのように弾性変形しながら係合を短時間続け、ダンパロータ２６の付随的な回転が主爪２４の解放後にも続くことにより、スライダ３０の下面６８と主爪６４の先端面とは確実に離隔する。一方、ベルト巻き込み時の後半において、主爪６４が下方移動のスライダ３０と接触する前に、副爪６６が６６Ｂのように弾性変形しながら接触を開始しても、主爪自体の接触は従前と同様である。
【００２８】
ベルトパーティション装置１では、好ましくは、ベルトリール２０に円盤ダンパ２２を固定し、さらに雄ネジ山付きの細円筒体２８を同軸状に固着し、円筒形のダンパロータ２６を細円筒体２８と密接嵌合させる構造である。円盤ダンパ２２はベルトリール２０とともに回転し、ダンパロータ２６の回転がスライダ３０によって停止すると、円盤ダンパ２２を経てベルトリール２０を制動回転する。スライダ３０では、中心ネジ孔５２を細円筒体２８とねじ合わせすることにより、ベルトリール２０の回転とともにスライダ３０が筒本体２内を上下移動し、該スライダは筒本体内を上下移動する際に回転しないように構成する。
【００２９】
ベルトパーティション装置１は、例えば、図１のように筒本体２をポールスタンド３の上部に固着するほかに、該筒本体を適宜変形して通路の一方の壁面などに固着できるようにしてもよい。この場合には、この筒本体からは仕切り用ベルト５を引き出し、ベルト先端の掛止め部材８を通路の他方の壁面に設置した掛受け部材１０に係止させる。
【００３０】
ベルトパーティション装置１は、仕切りベルト５の引き出しは従来とほぼ同様であっても、ベルト５の引き込み後半だけをゆっくりと静かに行うことができる。このため、ベルトパーティション装置１は、仕切りベルト５の引き込み作業を安全且つ確実に行え、使用中の仕切りベルトが強風に煽られたり、子供のいたずらによってベルト先端の掛止め部材８が掛受け部材１０から不意に脱離しても、ベルト５の引き込み運動の後半で確実に制動されるので、掛止め部材８の跳ね返りを生ずることがなく、歩行者などが怪我をする怖れもない。
【実施例１】
【００３１】
次に、本発明を実施例に基づいて説明するが、本発明は実施例に限定されるものではない。ベルトパーティション装置１は、図２と図３に示すように、直径８０ｍｍのキャップ１２および下方パイプ部１４とからなる筒本体２の下方に円形基台１６を備える。キャップ１２、下方パイプ部１４および円形基台１６は、装置中心において円形基台１６の底面からキャップ裏側のネジ孔１７まで長ネジ１８が貫通し、該長ネジによって全体を一体的に固定する。キャップ１２、円盤ダンパ２２、ダンパロータ２６、細円筒体２８、環状キャップ４４はポリアセタール樹脂（ＰＯＭ）製、円形基台１６はＡＢＳ樹脂製、スライダ３０はポリアミド樹脂製、下方パイプ部１４および渦巻バネ７はステンレス鋼製である。
【００３２】
ベルトリール２０は、リール本体３２および該本体よりも大径の円筒下部３４とからなり、該リール本体は長ネジ１８が通過できるように筒状であり、さらにベルト５を保持できるように縦溝付きの外筒３５を有する二重円筒形であり、円筒下部３４に渦巻バネ７を収納する。また、円形基台１６は、長ネジ１８が通過する円筒突起３６を有し、該突起の高さは円筒下部３４の内部高さよりも低い。渦巻バネ７は、その外端をベルトリール２０の円筒下部３４の内周壁に固着し、その内端を円筒突起３６の外周壁に固着することにより、仕切りベルト５を渦巻バネ７の弾力に逆らって引き出すことができ、引き出したベルト５は渦巻バネ７の弾力によって自動的に巻き込むことができる。
【００３３】
ベルトパーティション装置１では、仕切りベルト５を筒本体２の下方パイプ部１４に設けた縦長孔３７から引き出し、該縦長孔に掛止め部材８の受け部材３９（図３）を取り付ける。仕切りベルト５の先端には掛止め部材８を取り付け、該掛止め部材は、図１のように別のポールスタンドの筒本体側壁に設置するかまたは壁面に固着した掛受け部材１０と係合させる。
【００３４】
円盤ダンパ２２は、中心貫通孔３８（図２）を設けた内部突起４０を備える中空円筒体４１からなり、ベルトリール２０の上方に位置し、中心部の相互噛み合わせによってベルトリール２０と一体的に回転する。円盤ダンパ２２には、円筒形のダンパロータ２６を上方から回動自在に収納し、ついでＯ−リング４３（図２）および細円筒体２８の下方円径部４２を収納し、さらに環状キャップ４４を嵌めてダンパ上端壁にボルトなどで固定することにより、相互に液密であり且つロータ２６の脱落を防ぐ。細円筒体２８の下方円径部４２は、ダンパ２２の内部突起４０の上面にボルトなどで固定することより、円盤ダンパ２２に細円筒体２８を同軸状に固着する。この結果、ベルトリール２０の回転は、円盤ダンパ２２を経て細円筒体２８に伝達され、この３部材は一体的に回転する。
【００３５】
円筒形のダンパロータ２６内には、組み立て時に、ダンパ２２の内部突起４０および細円筒体２８の下方円径部４２が回転自在に位置し、内部突起４０の中心貫通孔３８および細円筒体２８内を長ネジ１８が通過する。ダンパロータ２６は、図４に示すように外周壁４６が段階状であり、円盤ダンパ２２の内周壁４８との間隙を有し、その間隙にグリースを充填するとともに環状キャップ４４で密閉することにより、ロータ２６は中空円筒体４１に対して制動回転する。
【００３６】
細円筒体２８は、その下方円径部４２を円盤ダンパ２２の内部突起４０に固定することにより、ベルトリール２０から上方へ向かって垂直に延びる。細円筒体２８の外周壁５０には雄ネジ山を形成し、該細円筒体をスライダ３０の中心ネジ孔５２にねじ合わせすることにより、細円筒体２８が回転するとスライダ３０は上下動する。
【００３７】
スライダ３０は、図５に示すように、その外周面に外向き突起５４を２個形成し、該突起が筒本体２のキャップ１２に設けた縦溝５６（図３）に嵌合することにより、ベルトリール２０つまり細円筒体２８の回転とともに、スライダ３０が筒本体２内を上下移動しても非回転である。また、スライダ３０には、ダンパロータ２６の立爪２４が嵌入可能な凹凹みとして円形配置の半環状孔５８，５８を形成する。半環状孔５８，５８では、図５のようにそれぞれが内側壁６０，６２を有する。
【００３８】
図６を参照すると、仕切りベルト５の引き出し時には、円盤ダンパ２２が矢印Ａ方向に回転し、スライダ３０が上方移動すると、ダンパロータ２６の立爪２４が半環状孔５８の内側壁６０から解放され、ベルトリール２０は通常回転する。一方、仕切りベルト５の巻き込み時の後半において、円盤ダンパ２２が矢印Ｂ方向に回転し、スライダ３０が下方移動すると、ダンパロータ２６の立爪２４が半環状孔５８内に入り、該半環状孔の内側壁６２と当接することによって、円盤ダンパ２２を介してベルト巻き込み作動を制動する。
【００３９】
ダンパロータ２６に形成した上向きの立爪２４は、図２から図４のように円周方向に１対設ける。立爪２４は、図６から明らかなように、スライダ３０によってベルトリール２０へ制動力を伝達する主爪６４と、該主爪に隣接して該主爪よりも高くて細い副爪６６とからなる。立爪２４を主爪６４と副爪６６で構成する理由は、ベルト巻き込み時に、スライダ３０は引き出し時と同じ位置に戻ってくるので、該スライダの下面６８とロータ立爪２４の先端面とが干渉し、最悪の場合には、スライダ３０がダンパロータ２６を下方へ押圧し、装置１が動作しなくなることを回避するためである。
【００４０】
図６の実線から明らかなように、ベルトリール２０の引き出し時の回転でスライダ３０が上方移動すると、該スライダの半環状孔５８がダンパロータ２６の立爪２４から解放される際に、主爪６４が解放されても副爪６６が６６Ａのように弾性変形しながら係合を短時間続け、ダンパロータ２６の付随的な回転が主爪２４の解放後にも続く。図６では、スライダ３０の一回転は１．５ピッチであり、ダンパロータ２６の付随的な回転は０．５ピッチに相当するから、スライダ３０の下面６８と主爪６４の先端面とは確実に離隔する。スライダ３０に２個の半環状孔５８を形成することにより、付随的な回転０ピッチ（つまり副爪６６なし）や半回転０．７５ピッチであると前記の干渉が生じるおそれがある故に、付随的な回転は通常０．２〜０．５５ピッチに相当すると好ましい。
【００４１】
一方、ベルト巻き込み時の後半において、主爪６４が下方移動のスライダ３０と接触する前に、副爪６６が６６Ｂのように弾性変形しながら接触を開始しても、主爪自体の接触は従前と同様である。主爪６４が３０Ａにおいて半環状孔５８内に入る際には、ダンパロータ２６の前記の付随的な回転により、スライダ下面６８と主爪６４の先端面とが干渉することなく、主爪６４が半環状孔５８の内側壁６２と当接し、ダンパロータの立爪がスライダの半環状孔と確実に係合する。
【００４２】
ベルトパーティション装置１は、上方の細円筒体２８および下方のベルトリール２０を円盤ダンパ２２と一体的に連結する。円盤ダンパ２２はベルトリール２０とともに回転し、ダンパロータ２６の回転がスライダ３０によって停止すると、円盤ダンパ２２を経てベルトリール２０を制動回転する。ベルトパーティション装置１は、図１のように筒本体２をポールスタンド３の上部に固着する。ベルトパーティション装置１は、仕切りベルト５の引き出しは従来とほぼ同様であっても、ベルト５の引き込み後半だけをゆっくりと静かに行うことができるため、ベルトパーティション装置１は、仕切りベルト５の引き込み作業を安全且つ確実に行える。
【符号の説明】
【００４３】
１    ベルトパーティション装置
２    筒本体
５    仕切りベルト
７    渦巻バネ
８    掛止め部材
１０    掛受け部材
１６    円形基台
１８    長ネジ
２０    ベルトリール
２２    円盤ダンパ
２４    立爪
２６    ロータ
２８    細円筒体
３０    スライダ
【図１】
2019052502.tif 000003
【図２】
2019052502.tif 000004
【図３】
2019052502.tif 000005
【図４】
2019052502.tif 000006
【図５】
2019052502.tif 000007
【図６】
2019052502.tif 000008